(57)【特許請求の範囲】
【請求項１】
デスクを向い合わせに連結したデスクの集合体であって、
前記デスクは、
天板と、
前記天板に接続され、前記天板を支持する複数の脚と、
前記脚の間に架設される横梁部材と、
前記横梁部材の鉛直方向上部に嵌着されると共に、前記横梁部材と前記天板との間に挟持される中間部材と、
を備え、
前記中間部材は、前記デスクを向い合わせに連結する場合、対向するデスクの中間部材と固定具によって接続され、
前記中間部材及び前記横梁部材は、前記中間部材が前記横梁部材に嵌着された状態において、前記デスクの奥行き方向に貫通する補強部材挿入孔を形成し、
前記補強部材挿入孔に挿入される補強部材を備える
デスクの集合体。
【請求項２】
前記中間部材は、前記横梁部材と嵌合する凹部を有し、
前記横梁部材は、厚さ方向の両端が前記中間部材の前記凹部と嵌合する
請求項１に記載のデスクの集合体。
【請求項３】
前記中間部材の下方に接続され、当該中間部材を支持する補助脚
をさらに備える請求項１又は２に記載のデスクの集合体。
【請求項４】
幅方向に複数のデスクを備え、
前記脚は、幅方向に隣接するデスクによって共有され、隣接するデスク同士を連結する
請求項１から３のいずれか一項に記載のデスクの集合体。
【発明の詳細な説明】
【技術分野】
【０００１】
本発明は、デスク及びデスクの集合体に関する。
【背景技術】
【０００２】
従来、デスク本体を連結する使用態様であって、二重に構成部材が存在することをなくすことを目的としたデスク装置が提案されている。また、デスク本体を連結した使用態様と、連結しない使用態様でのコストと強度の無駄を排除すると共に、強固且つ安定的に構成することを目的としたデスク装置も提案されている。（例えば、特許文献１及び２）
【０００３】
また、構成選択の自由度を向上させる連結机としては、平面から見た天板の結合態様である長方形の態様を、長方形以外の異形態様にすることを容易にすることを目的とした多人数用の連結机も提案されている（例えば、特許文献３）。
【先行技術文献】
【特許文献】
【０００４】
【特許文献１】特開２０１３−９４２７５号公報
【特許文献２】特開２０１３−９４２７６号公報
【特許文献３】特開２０１３−１１１１３４号公報
【発明の概要】
【発明が解決しようとする課題】
【０００５】
従来、デスクを連結する際に部材を共通化してコストを削減すると共に、強度を確保する連結デスクが提案されていた。少ない部材で強度を確保するためには、部材間の接続を強固にしなければならないところ、デスクの組み立てには手間がかかるという問題があった。
【０００６】
本発明は、上記のような問題に鑑み、連結可能なデスクにおいて、強度を確保すると共に組み立ての手間を軽減することを目的とする。
【課題を解決するための手段】
【０００７】
本発明の一側面に係るデスクは、天板と、天板を支持する複数の脚と、脚の間に架設される横梁部材と、横梁部材の鉛直方向上部に嵌着されると共に、横梁部材と天板との間に挟持される中間部材とを備える。そして、中間部材は、デスクを向い合わせに連結する場合、対向するデスクの中間部材と接続される。
【０００８】
このような中間部材によれば、向かい合わせに連結可能なデスクにおいて、対向するデスクを結合し、強度を向上させることができる。また、中間部材は横梁部材に嵌着させることで組み立てられるため、組み立てに係る手間が軽減される。
【０００９】
また、中間部材は、横梁部材と嵌合する凹部を有し、横梁部材は、厚さ方向の両端が中間部材の凹部と嵌合するようにしてもよい。具体的にはこのような凹部を有することにより、中間部材は、横梁部材と嵌合させることができる。なお、中間部材の凹部内に、横梁部材と係合する凸部をさらに設け、この凸部と係合する挿入孔を横梁部材の上端に設けるようにしてもよい。予め横梁部材の所定の位置に挿入孔を設けておけば、組み立て時に中間部材を嵌着する際の位置決めが容易になる。
【００１０】
また、本発明の他の側面に係るデスクの集合体は、上述したデスクを向い合わせに連結
して形成される。そして、中間部材及び横梁部材は、中間部材が横梁部材に嵌着された状態において、デスクの奥行き方向に貫通する補強部材挿入孔を形成し、デスクの集合体は、補強部材挿入孔に挿入される補強部材をさらに備える。このような補強部材を追加することで、デスクの耐荷重性を段階的に向上させることができる。
【００１１】
また、デスクの集合体は、中間部材の下方に接続され、当該中間部材を支持する補助脚をさらに備えるようにしてもよい。このような補助脚を追加することによっても、デスクの耐荷重性をさらに向上させることができる。
【００１２】
また、デスクの集合体は、幅方向に複数のデスクを備え、脚は、幅方向に隣接するデスクによって共有され、隣接するデスク同士を連結するようにしてもよい。このように、脚を共有することにより幅方向にもデスクを連結可能とすれば、自由な構成でデスクの集合体を形成できるようになる。
【００１３】
なお、上記課題を解決するための手段の内容は、本発明の課題や技術的思想を逸脱しない範囲で可能な限り組み合わせることができる。
【発明の効果】
【００１４】
本発明によれば、連結可能なデスクにおいて強度を確保すると共に組み立ての手間を軽減できる。
【図面の簡単な説明】
【００１５】
【図１】図１は、連結デスクの一例を示す斜視図である。
【図２】図２は、連結デスクの一例を示す分解斜視図である。
【図３Ａ】図３Ａは、エンド脚の一例を示す斜視図である。
【図３Ｂ】図３Ｂは、エンド脚の一例を示す斜視図である。
【図４Ａ】図４Ａは、中間脚の一例を示す斜視図である。
【図４Ｂ】図４Ｂは、中間脚の一例を示す斜視図である。
【図４Ｃ】図４Ｃは、中間脚の一例を示す斜視図である。
【図４Ｄ】図４Ｄは、中間脚の一例を示す斜視図である。
【図５Ａ】図５Ａは、横梁部材の一例を示す斜視図である。
【図５Ｂ】図５Ｂは、横梁部材の一例を示す斜視図である。
【図５Ｃ】図５Ｃは、トレイ部材及びケースウェイを説明するための断面図である。
【図６Ａ】図６Ａは、幕板の一例を示す斜視図である。
【図６Ｂ】図６Ｂは、幕板の一例を示す斜視図である。
【図７Ａ】図７Ａは、第１中間受部材の一例を示す斜視図である。
【図７Ｂ】図７Ｂは、第１中間受部材の一例を示す斜視図である。
【図８Ａ】図８Ａは、第２中間受部材の一例を示す斜視図である。
【図８Ｂ】図８Ｂは、第２中間受部材の一例を示す斜視図である。
【図９Ａ】図９Ａは、カバー接続部材の一例を示す斜視図である。
【図９Ｂ】図９Ｂは、カバー接続部材の一例を示す斜視図である。
【図１０Ａ】図１０Ａは、配線カバーの一例を示す斜視図である。
【図１０Ｂ】図１０Ｂは、配線カバーの一例を示す斜視図である。
【図１０Ｃ】図１０Ｃは、一部の配線カバーを開いた状態のデスクを示す斜視図である。
【図１１】図１１は、片面用脚取付部材の一例を示す斜視図である。
【図１２】図１２は、両面用脚取付部材の一例を示す斜視図である。
【図１３】図１３は、補強部材の一例を示す斜視図である。
【図１４】図１４は、補助中間脚１４及び補助脚接続部材の一例を示す斜視図である。
【図１５】図１５は、支柱取付カバー２３の一例を示す斜視図である。
【図１６】図１６は、オプションを取り付けた連結デスクの一例を示す斜視図である。
【図１７】図１７は、連結デスクの構成の一例を示す模式的な平面図である。
【発明を実施するための形態】
【００１６】
次に、本発明の実施形態を、図面に基づいて説明する。なお、以下で説明する実施形態は例示であり、本発明は以下の態様には限定されない。
【００１７】
＜全体構成＞
図１は、本実施形態に係るデスクに対し、左右（幅）方向及び前後（奥行き）方向にそれぞれ１つずつデスクを連結したデスクの集合体（「連結デスク」とも呼ぶ）の一例を示す斜視図である。また、図２は、図１に示した連結デスクの分解斜視図である。図１及び図２に示す連結デスクは、天板１１と、エンド脚１２と、中間脚１３と、補助中間脚１４と、幕板１５と、横梁部材１６と、第１中間受部材１７と、第２中間受部材１８と、カバー接続部材１９と、配線カバー２０と、片面用エンド脚取付部材２１と、両面用エンド脚取付部材２２と、支柱取付部カバー２３と、補強部材２４と、補助脚接続部材２５と、天板接続部材２６とを備えるデスク１が３つ連結されている。
【００１８】
なお、本実施形態では、デスク１から見て使用者が位置する方向を手前又は前、その逆を奥又は後ろと呼ぶものとする。また、デスク１から使用者に向かって左右を、それぞれ左、右と呼び、鉛直方向上下を、それぞれ単に上、下とも呼ぶ。本実施形態では、天板１１、その幅方向両端に接続されるエンド脚１２又は中間脚１３、これらに接続される各部材を１つの単位として、便宜上、１つのデスクと呼ぶものとする。
【００１９】
本実施形態に係るデスク１は、前後及び左右に連結することができ、全体として様々な形状の連結デスクを形成することができる。なお、奥行き方向にデスク１を向い合わせに連結する態様を「両面」にデスク１が連結されるといい、奥行き方向にデスク１が連結されない態様を「片面」にデスク１が存在するというものとする。両面にデスク１を連結する場合においては、２つのデスク１の横梁部材１６の間に、デスク１に載置される機器のケーブル等を収納する空間（「ケースウェイ」とも呼ぶ）が形成される。デスク１を片面にのみ配置して使用する場合においては、横梁部材１６と幕板１５との間に、ケースウェイが形成される。また、幅方向にデスク１が連結されるとき、隣接する２つのデスク１によって中間脚１３が共有される。デスク１の例えば脚の上方には、図示していない支柱を立設して様々なオプション器具を接続することもできる。
【００２０】
また、本実施形態に係る連結デスクは、荷重に応じて段階的に強度の異なる構成を選択できるようになっている。デスク１の横梁１６の上部には、本発明に係る「中間部材」の一例である第１中間受部材１７、又は第２中間受部材１８が所定の間隔で配置される。第１中間受部材１７及び第２中間受部材１８はいずれも横断面視上、下方に開いた略コ字状であり、横梁部材１６と天板１１との間に挟まれて固定され、天板１１を支持する。また、第２中間受部材１８よりも第１中間受部材１７の方が幅が広く、第１中間受部材１７の上端には上述した支柱を接続するための領域が設けられている。また、両面にデスク１が連結された状態において、２つ結合された第１中間受部材１７と横梁部材１６との間には、デスク１の奥行き方向に貫通する、補強部材２４の挿入空間が形成される。そして、補強部材２４を挿入することによって、第１中間受部材１７の耐荷重性が向上する。また、第１中間受部材の下方には補助脚接続部材２５を介して補助中間脚１４が接続可能になっている。補助中間脚１４を接続することでも、第１中間受部材１７の耐荷重性が向上する。このように、本実施形態に係る連結デスクは、第１中間受部材１７又は第２中間受部材１８の選択、補強部材２４の有無、補助中間脚１４の有無によって、その強度を段階的に
変更することができ、連結デスクにかかる荷重に応じた構成を採用することができるようになっている。以下、図１及び図２に示した部材の構造及び部材間の接続について説明する。
【００２１】
＜天板＞
天板１１は、机面として使用できる板であり、その左右の端部がエンド脚１２又は中間脚１３の上に架設される。また、天板１１は、底面の左右両端付近にボルト穴（図示せず）を有しており、エンド脚１２又は中間脚１３に接続される天板接続部材２６と、ボルトで接続される。天板１１は、底面の奥側にもボルト穴（図示せず）を有しており、第１中間受部材１７又は第２中間受部材１８ともボルトで接続可能になっている。さらに、天板１１は、その下側に任意のサイズの引き出し１１１を備えていてもよい。なお、本発明に係る様々な部材のボルト穴を、それぞれ「接続部」とも呼ぶ。
【００２２】
＜エンド脚＞
図３Ａは、エンド脚１２の一例を示す斜視図である。また、図３Ｂは、エンド脚１２の一例を示す斜視図である。なお、エンド脚１２には左端用と右端用があり、図３Ａ及び図３Ｂに示すエンド脚１２は、右端用である。エンド脚１２は、天板接続部材２６を介して天板１１と接続される。天板接続部材２６は、例えば、平板の１か所を９０度に曲げ、側面視でＬ字形状とした接続金具等である。そして、天板接続部材２６の一端はエンド脚１２又は中間脚１３と接続され、他端は天板１１と接続される。エンド脚１２は、連結デスクの左右方向の端に接続される。また、エンド脚１２は、その上端に接続部材挿入孔１２１が設けられており、天板接続部材２６の一端を挿入することができる。そして、エンド脚１２の接続部材挿入孔１２１に天板接続部材２６を挿入した状態における両者の対応する位置にはボルト穴がそれぞれ設けられており、図示していないボルトによって固定することができる。天板接続部材２６の一部はエンド脚１２内に収まるため、美観が向上すると共に、使用者の足元の凸部を減らすことができ、快適性が向上する。なお、エンド脚１２に設けられたボルト穴を、ボルト穴１２２とする。また、エンド脚１２の下端には、アジャスタ１２３を取り付けるためのアジャスタ取付穴１２４を有している。アジャスタ１２３には雄ねじが設けられており、雌ねじが切られたアジャスタ取付穴１２４に挿入する深さを変更することによって、高さを調整することができる。また、エンド脚１２の上端の奥側には、支柱を取り付けるための支柱取付穴１２５が複数設けられている。なお、図面においてボルト穴を囲う破線は、同一の機能を有するボルト穴を示している。支柱取付穴１２５は、デスク１の上部にオプション器具を設置するための支柱（図示せず）を取り付けるための取付部である。支柱及びオプション器具については後述する。また、エンド脚１２の側面のうち、奥側上方であってデスク１の内側に相当する位置には、両面用の脚取付部材２２又は片面用の脚取付部材２３を取り付けるための部材取付穴１２６が設けられている。また、エンド脚１２の側面のうち、上述した部材取付穴１２６よりも手前側には、横梁取付穴１２７が設けられている。また、エンド脚１２の奥側の面（背面）には、デスクを片面の状態で使用する際に取り付ける幕板１５を接続するための幕板取付穴１２８が設けられている。図３Ａ及び図３Ｂのエンド脚１２は板状のものを示したが、このような形状には限られない。
【００２３】
＜中間脚＞
図４Ａは、中間脚１３を右上から見た斜視図である。また、図４Ｂは、中間脚１３を左上から見た斜視図である。中間脚１３は、水平方向に伸びて天板を直接支持する柱状の水平部材と、鉛直方向に伸びて水平部材を所定の高さに保持する複数の鉛直部材と、鉛直部材の下側部分を連結して強度を向上させる下側水平部材とを有する。また、中間脚１３は、天板１１をボルトで接続するための天板取付穴１３１と、天板接続部材２６を接続するためのボルト穴１３２とを有する。ボルト穴１３２の構成及び機能は、エンド脚のボルト穴１２２について説明したものと同様である。また、中間脚１３の下端には、アジャスタ
１３３を取り付けるためのアジャスタ取付穴１３４を有している。そして、中間脚１３の上端の奥側には、支柱を取り付けるための支柱取付穴１３５が複数設けられている。また、中間脚１３の側面のうち、奥側上方、両面用の脚取付部材２２又は片面用の脚取付部材２３を取り付けるための取付穴１３６が設けられている。なお、両面にデスク１を結合する場合、対向する２つの中間脚１３を両面用脚取付部材２２で結合する。また、中間脚１３の側面のうち、上述した脚取付部材２２よりも手前側には、横梁取付穴１３７が設けられている。また、中間脚１３の奥側の面には、デスクを片面の状態で使用する際に取り付ける幕板１５を接続するための幕板取付穴１３８が設けられている。アジャスタ１３３から幕板取付穴１３８の構成及び機能は、エンド脚１２の対応する部材と同様である。また、中間脚１３を構成する柱状の部材は、縦横の数がそれぞれ変更されてもよく、板状等であってもよい。
【００２４】
また、デスク１を両面に結合する場合と片面で使用する場合とで、形態の異なる中間脚１３を用いるようにしてもよい。デスク１を片面で使用する場合、例えば図４Ａ及び図４Ｂに示したような中間脚１３を使用する。また、デスク１を両面に結合する場合は、一方のデスク１の奥に他方のデスク１が接続されることにより前後に対称な形態となってバランスがとれるため、例えば図４Ｃ及び図４Ｄに示すような中間脚１３を使用する。図４Ｃは、両面用の中間脚１３を右上から見た斜視図である。また、図４Ｄは、両面用の中間脚１３を左上から見た斜視図である。両面用の中間脚１３は、前後方向の中央付近に鉛直部材を有しておらず、奥側にのみ鉛直部材を有する。このような中間脚１３の背面同士を接続し、両面用取付部材２２等で固定してもよい。
【００２５】
＜横梁部材＞
図５Ａは、横梁部材１６を背面斜め上から見た斜視図である。また、図５Ｂは、横梁部材１６を正面斜め上から見た斜視図である。横梁部材１６は、外形が略直方体のパネル状の部材である。また、図５Ａ及び図５Ｂの横梁部材１６は、鉛直方向上端であって幅方向の略中央に、第１中間受部材１７を取り付けるための第１中間受取付穴１６１を有している。また、横梁部材１６は、鉛直方向上端であって幅方向の両端からそれぞれ幅の１／４程度の位置に、第２中間受部材１８を取り付けるための第２中間受取付穴１６２を有している。また、横梁部材１６は、その側面に、エンド脚１２又は中間脚１３とボルトで接続するための脚取付穴１６３を有している。図５Ａ及び図５Ｂの例では、側面にそれぞれ２つずつ脚取付穴１６３が存在し、脚取付穴１６３の一方は略円形であるが、他方はボルトの頭部よりも大きな円形とボルトの頭部よりも小さな円形とが繋がっただるま型になっている。だるま型のボルト穴によれば、まずエンド脚１２又は中間脚１３にボルトを浅く取り付けた状態で横梁部材１６を取付位置に合わせることができ、組み立てが容易になる。また、横梁部材１６は、水平方向に沿って複数回曲げ加工され、その正面及び背面に溝（凹部又は段差とも呼ぶ）を有している。図５Ａ及び図５Ｂの例は、背面に第１背面凹部１６４及び第２背面凹部１６５を有し、正面に正面凹部１６６を有している。このような曲げ加工によって横梁部材１６の強度が向上する。また、図５Ｃは、両面にデスク１を連結した場合における２つの横梁部材１６とその周辺の横断面図である。両面にデスク１を連結する場合においては、対向する横梁部材１６の第１背面凹部１６４又は第２背面凹部１６５にトレイ部材２７を架設することにより、ケースウェイが形成される。図５Ｃに示すトレイ部材２７は、ケーブル等を載置する受け皿部２７１の奥行き方向の長さが、両面に接続されたデスク１の横梁部材１６間とほぼ同じになっている。また、トレイ部材２７は、受け皿部２７１の奥行き方向の両端に、横梁部材１６の第１背面凹部１６４又は第２背面凹部１６５に架けるための段差状になった鉤部２７２を有する。片面にデスク１を配置する場合においては、横梁部材１６の第１背面凹部１６４又は第２背面凹部１６５と後述する幕板１５に設けられた凹部との間にトレイ部材２７を架設することにより、ケースウェイが形成される。片面にデスク１を配置する場合には、受け皿部２７１の奥行き方向の長さが、横梁部材１６と幕板１７との間の長さとほぼ同じになったトレイ部材２７（図示
せず）を用いるものとする。
【００２６】
＜幕板＞
図６Ａは、幕板１５を背面斜め上から見た斜視図である。また、図６Ｂは、幕板１５を正面斜め上から見た斜視図である。幕板１５は、外形が略直方体のパネル状の部材である。そして、幕板１５は、エンド脚１２又は中間脚１３にボルトで接続するための脚取付穴１５１を有している。また、幕板１５は、背面の上方であってその幅方向の略中央に、第１中間受部材１７を取り付けるための中間受取付穴１５２を有している。そして、幕板１５の背面には、水平方向に沿って第１凹部１５３、第２凹部１５４が設けられている。片面にデスク１を配置する場合においては、横梁部材１６の第１背面凹部１６４、第２背面凹部１６５と、幕板１５の第１凹部１５３、第２凹部１５４との間にトレイ部材２７を架設することにより、ケースウェイが形成される。なお、図６Ｂの幕板１５は、正面側にほぼ凹凸のない形状であるが、任意の意匠が施されていてもよい。
【００２７】
＜第１中間受部材＞
図７Ａは、第１中間受部材１７を背面斜め上から見た斜視図である。また、図７Ｂは、第１中間受部材１７を正面斜め下から見た斜視図である。第１中間受部材１７は、単に「中間部材」とも呼ぶ。第１中間受部材１７は、横梁部材１６と天板１１との間に挟持され、横梁部材１６と天板１１とを結合してデスク１の強度を向上させる。また、第１中間受部材１７は、オプション器具を接続するための支柱をその上方に立設したり、補助中間脚１４をその下方に配設したりすることができる。なお、デスク１が両面に連結される場合においては、対向する第１中間受部材１７同士がボルト等で接続される。また、デスク１が片面に配置される場合においては、第１中間受部材１７は背面側において幕板１５と接続される。
【００２８】
本実施形態に係る第１中間受部材１７は、正面視において下方に開いた略コ字状である。背面の一部には上面から曲げ加工されて連続する壁部が設けられており、この壁部には、例えばボルトを用いて第１中間受部材１７同士又は第１中間受部材１７と幕板１５とを接続するための接続穴１７１が設けられている。また、第１中間受部材１７の上面には、例えばボルトを用いて天板１１と接続するための天板接続穴１７２と、デスク１の上方にオプション器具を接続する支柱を立設するための支柱接続穴１７３と、カバー接続部材１９を介してケースウェイのカバーを接続するためのカバー接続穴１７４とが設けられている。本実施例では、第１中間受部材１７の上面のうち、手前側の幅方向中央付近に天板接続穴１７２が２つ設けられている。また、第１中間受部材１７の上面のうち、後方側の幅方向中央付近に支柱接続穴１７３が６つ設けられている。また、第１中間受部材１７の上面のうち、後方側の幅方向両端付近にカバー接続穴１７４が１０個設けられている。第１中間受部材１７の側面には、横梁部材１６の上方からその厚さ方向の両端を挟むように嵌め込むことができる嵌着凹部１７５を有している。また、嵌着凹部１７５の奥行き方向中央付近には、横梁部材１６の第１中間受取付穴１６１に挿入される凸部１７５１が設けられている。また、嵌着凹部１７５の奥行き方向の両端に相当する壁部１７５２及び壁部１７５３の間は、横梁部材１６の厚さ程度となっており、横梁部材１６を挟んで固定する。本実施形態に係る第１中間受部材１７は、ボルト等を用いずに横梁部材１６の上に結合することができ、組み立てが容易になっている。また、第１中間受部材１７は、凸部１７５１、壁部１７５２及び壁部１７５３によって、横梁部材１６に対して水平方向の位置を固定される。また、第１中間受部材１７の側面には、補助脚接続部材２５を介して補助中間脚１４と接続される補助脚接続穴１７６が設けられている。補助中間脚１４を接続することにより、第１中間受部材１７の強度を向上させることができる。第１中間受部材１７の上面は、正面視において上方に凸になるよう奥行き方向に沿って補強部材保持溝１７７が設けられている。補強部材保持溝１７７に補強部材２４を挿入することによっても、第１中間受部材１７の強度を向上させることができる。また、第１中間受部材１７の側面は、
底面側の端部が９０度曲げ加工され、底面片１７８が形成されている。底面片１７８によっても、第１中間受部材１７の強度が向上する。以上のように、本実施形態に係る第１中間受部材１７は、支柱を立設してデスク１の上部に設置されるオプション器具を支持する構成になっている。そして、様々なオプション器具の重量を支えるため、第１中間受部材１７は、天板１１と横梁部材１６との間に挟持される構成となっているほか、第１中間受部材１７と横梁部材１６との間に挿入される補強部材２４の有無や、第１中間受部材１７と床面との間に設けられる補助中間脚の有無によって段階的に耐荷重性を変更できるようになっている。
【００２９】
＜第２中間受部材＞
図８Ａは、第２中間受部材１８を背面斜め上から見た斜視図である。また、図８Ｂは、第２中間受部材１８を正面斜め下から見た斜視図である。第２中間受部材１８も、横梁部材１６と天板１１との間に挟持され、横梁部材１６と天板１１とを結合してデスク１の強度を向上させる。本実施形態に係る第２中間受部材１８も、正面視において下方に開いた略コ字状といえる。ただし、第２中間受部材１８の背面は、上面から曲げ加工されて連続する壁部が設けられており、壁部には第２中間受部材１８同士又は第２中間受部材１８と幕板１５とを接続するための接続穴１８１及び接続片１８２が設けられている。そして、両面にデスク１が連結される場合においては、対向する第２中間受部材１８のそれぞれの接続片１８２が、他方の接続穴１８１に挿入される。なお、図６Ａ及び図６Ｂの幕板１５側には、接続片に相当する部材を設けていない。また、第１中間受部材１７の上面には、例えばボルトを用いて天板１１と接続するための天板接続穴１８３と、カバー接続部材１９を介してケースウェイのカバーを接続するためのカバー接続穴１８４とが設けられている。天板接続穴１８３、カバー接続穴１８４の構成及び機能は、第１中間受部材１７の天板接続穴１７２、カバー接続穴１７４の構成及び機能とそれぞれ同様である。また、第２中間受部材１８の側面には、横梁部材１６の上方からその厚さ方向の両端を挟むように嵌め込むことができる嵌着凹部１８５を有している。第２中間受部材１８の嵌着凹部１８５も、第１中間受部材１７の嵌着凹部１７５と同様に、凸部１８５１、壁部１８５２及び壁部１８５３を有しており、嵌着凹部１７５と同様の機能を有する。
【００３０】
＜カバー接続部材＞
図９Ａは、カバー接続部材１９を正面斜め上から見た斜視図である。また、図９Ｂは、カバー接続部材１９を背面斜め下から見た斜視図である。カバー接続部材１９は、その下方に、第１中間受部材１７、第２中間受部材１８、片面用脚取付部材２１又は両面用脚取付部材２２のカバー接続穴に挿入される凸状の接続部１９１〜１９４を有する。本実施形態では、幅方向の両端に設けられた接続部１９３及び１９４は、幅方向の外側に凸になった固定爪１９３１及び１９４１が設けられている。固定爪１９３１及び１９４１は、断面視において、下方ほど薄くなるように傾斜が付けられており、固定爪１９３１及び１９４１の上端には段差が設けられており、カバー接続部材１９をカバー接続穴に容易に挿入することができると共に、取り外す際には接続部１９３及び１９４をカバー接続部材１９の内側に押し込んで固定爪１９３１及び１９４１とカバー接続穴との係合を解除しなければならないようになっている。また、カバー接続部材１９の側面には、接続部１９３及び１９４の前後方向両端に切り込み部１９５がそれぞれ設けられており、接続部１９３及び１９４の上下方向の長さをより大きくとることで、接続部１９３及び１９４を内側に押し込む際に変形し易くしている。また、カバー接続部材１９には、平面視の中央付近に、上下に貫通しボルト等で第１中間受部材１７、第２中間受部材１８、片面用脚取付部材２１又は両面用脚取付部材２２のカバー接続穴に固定するためのボルト穴１９６が設けられている。また、カバー接続部材１９の背面側上部には、軸受部１９７が設けられている。軸受部１９７は、幅方向に沿って水平に軸を保持する溝を有し、配線カバー２０の後述する軸部を嵌め込むことができると共に、配線カバー２０が軸部を中心に回動自在となるように保持する。
【００３１】
＜配線カバー＞
図１０Ａは、配線カバー２０を斜め上から見た斜視図である。また、図１０Ｂは、配線カバー２０を斜め下から見た斜視図である。配線カバー２０は、ケースウェイの上部を覆うパネル状の蓋であり、左右の側面下方に連設された壁部からそれぞれ内側に向けて軸部２０１が設けられている。図１０Ｃは、一部の配線カバー２０を開いた状態のデスク１を示す斜視図である。なお、図１０Ｃでは、横梁部材１６を二点鎖線で表し、天板１１は省略している。このように、軸部２０１はカバー接続部材１９の軸受部１９７にはめ込まれ、配線カバー２０は軸部２０１を中心に回動して開閉する。また、配線カバー２０は、パネルの手前側に沿って例えば比較的軟質の素材が採用され、使用者が配線カバー２０を開閉する際に摘まみ易くなっている。
【００３２】
＜脚取付部材＞
なお、エンド脚１２及び中間脚１３はカバー接続穴を有していないが、図１０Ｃに示したように、側面にカバー接続穴を有する片面用脚取付部材２１又は両面用脚取付部材２２を接続し、これらの上部にカバー接続部材１９を取り付ける。図１１は、片面用脚取付部材２１の一例を示す斜視図である。また、図１２は、両面用脚取付部材２２の一例を示す斜視図である。片面用脚取付部材２１、両面用脚取付部材２２は、それぞれ上端にカバー接続部材１９を取り付けるためのカバー接続穴２１１、カバー接続穴２２１を有している。また、片面用脚取付部材２１、両面用脚取付部材２２は、それぞれ側面にエンド脚１２又は中間脚１３とボルト等で接続するための脚接続穴２１２、脚接続穴２２２を有している。なお、両面用脚取付部材２２は、両面にデスク１を連結して使用する場合に用いられ、エンド脚１２同士、中間脚１３同士、又はエンド脚１２と中間脚１３とを接続する。
【００３３】
＜補強部材＞
図１３は、接続された２つの第１中間受部材１７と、横梁部材１６との間に挿入して補強するための補強部材２４の一例を示す斜視図である。上述の通り、第１中間受部材１７は断面視において下方に開いた略コ字状になっており、横梁部材１６と接続した状態において第１接続部材１７と横梁部材１６との間には奥行き方向に貫通した空間が形成される。補強部材２４は、当該空間と嵌合する形状になっており、当該空間に挿入されることにより第１中間受部材１７の強度を向上させる。なお、補強部材２４も、断面視において下方に開いた略コ字状になっており、側面を設けることで耐荷重性を向上させている。また、補強部材２４は、ボルト等で天板と接続するための天板接続穴２４１と、ボルト等で支柱と接続するための支柱接続穴２４２とを有する。なお、天板接続穴２４１、支柱接続穴２４２は、第１中間受部材１７の天板接続穴１７２、支柱接続穴１７３と対応する位置に設けられており、それぞれ位置を合わせて１本のボルトを貫通させることができる。
【００３４】
＜補助中間脚＞
図１４は、補助中間脚１４及び補助脚接続部材２５の一例を示す斜視図である。補助中間脚１４は柱状の部材であり、両面にデスク１を連結して使用する場合に、結合された第１中間受部材１７の下に配設され、デスク１を支持する。補助中間脚１４は、上側の側面端部を９０度曲げ加工して水平に形成した接続舌片１４１に、ボルト等によって補助脚接続部材２５と接続するためのボルト穴１４２が設けられている。また、補助中間脚１４の下端にはアジャスタ１４３を取り付けるためのアジャスタ取付穴１４４を有している。アジャスタ１４３には雄ねじが設けられており、雌ねじが切られたアジャスタ取付穴１４４に挿入する深さを変更することによって、高さを調整することができる。また、補助脚接続部材２５は、平面状のパネルの四方の端部を９０度曲げ加工して垂直な壁面を形成したトレイ形状になっている。補助脚接続部材２５の底面部分には上下に貫通するボルト穴２５１が、補助中間脚１４のボルト穴１４２と対応する位置に設けられており、補助脚接続部材２５と補助中間脚１４とを上下にボルトで接続することができる。また、左右の側面
２５２には、第１中間受部材１７の側面に設けられた補助脚接続穴１７６と対応する位置にボルト穴２５３が設けられており、第１中間受部材１７と補助脚接続部材２５とをボルトで接続することができる。また、補助脚接続部材２５の前後に形成された壁面２５４は上方に向けて凸形状になっており、断面視において下方に開いたコ字状の補強部材２４の内側と係合し、第１中間受部材１７と補助脚接続部材２５との結合部分の強度を向上させる。なお、本実施形態に係る補助中間脚１４、補助脚接続部材２５及び第１中間受部材１７の接続構造は一例であり、様々な変形が可能である。また、例えば補助脚接続部材２５を介さずに、補助中間脚１４と第１中間受部材１７とを直接接続する構成にしてもよい。
【００３５】
＜支柱取付部カバー＞
また、図１及び図２に示したように、エンド脚１２、中間脚１３及び第１中間受部材１７の上部には、支柱を立設しない場合、支柱取付部カバー２３配設される。支柱取付部カバー２３は略直方体状の部材であり、デスク１の机面の凹部を塞ぐ。図１５は、支柱取付部カバー２３の一例を示す分解斜視図である。支柱取付部カバー２３は、その底面を形成し、ボルト等で支柱接続穴に取り付けるためのボルト穴２３１１を有するベース部２３１と、その上面を形成する上面部材２３２、２３３及び２３４と、その側面を形成する側面部材２３５とを含む。例えば上面部材２３３や、２３４、側面部材２３５等を外して任意の方向に、機器の配線を通す通路を形成することができる。
【００３６】
＜オプション器具＞
図１６は、デスク１の上方に様々なオプション器具を取り付けたデスクの集合体の一例を示す斜視図である。デスク１には、エンド脚１２、中間脚１３又は第１中間受部材１７の支柱接続穴に支柱２８が立設されている。支柱２８は、接続するオプション器具に応じて様々な長さのものを選択することができる。そして、支柱２８には、棚２９、机上横梁部材３０を介して接続されたモニタ３１、背面パネル３２、側面パネル３３等が接続される。
【００３７】
＜効果＞
本実施形態に係るデスク１の集合体は、使用者が図１６に示したようなオプション器具を自由に選択して取り付けることができると共に、その重量に応じて第１中間受部材１７の強度を段階的に向上させることができる。すなわち、第１中間受部材１７又は第２中間受部材１８の選択、補強部材２４の有無、補助中間脚１４の有無によって、耐荷重性を段階的に変更することができるようになっている。例えば、荷重が２００ｋｇまでの場合は結合した第１中間受部材１７によって支持し、荷重が２００ｋｇから３００ｋｇまでの場合は補助部材２４を挿入し、荷重が３００ｋｇ以上の場合は補助中間脚１４をさらに配設する。また、第１中間受部材１７及び第２中間受部材１８は、横梁部材１６の上にはめ込むだけの組み立て容易な構成としつつ、横梁部材１６と天板１１とを上下に重ねて挟持されることにより、例えば第１中間受部材１７又は第２中間受部材１８を横梁部材１７から突設させるような場合よりも耐荷重性を向上させている。すなわち、連結可能なデスクにおいて、強度を確保すると共に組み立ての手間が軽減される。
【００３８】
また、本実施形態に係る連結デスクは、中間脚１３を介して横方向にデスク１をいくつも連結することができる。また、奥行き方向には両面又は片面にデスク１を連結することができる。したがって、用途や、建物の形状や柱といった設置場所の制約に応じて自由に構成を決定することができる。図１７は、デスクの連結体の一例を示す模式的な平面図である。図１７では、デスク１を１つの長方形で示しており、（１）から（６）までのデスク１が連結されている。図１７のように、奥行き方向には１又は２のデスクを連結することができ、幅方向には任意の数のデスクを連結することができる。また、デスク（１）と（４）との間のように幅方向の中間や、デスク（５）の端など、任意の位置のデスクを設けないようにしてもよい。このように、連結デスクは自由に構成を選択できる。
【００３９】
＜その他の変形＞
横梁部材１６の上に取り付けられる第１中間受部材１７及び第２中間受部材１８の構成は、上述のものには限られず、１つのデスクに対して３つの第１中間受部材１７又は３つの第２中間受部材１８が取り付けられるようにしてもよい。また、横梁部材１６上の取付位置や、取り付けられる数も、上述の例には限定されない。
【００４０】
図１０Ａ及び図１０Ｂに示した配線カバー２０は一例であり、様々な形状を採用することができる。例えば、配線カバー２０は開閉しない構成であってもよいし、また、机面にコンセントを埋め込む構成であってもよい。
【００４１】
また、横梁部材１６には、トレイ部材以外のオプション器具を接続するようにしてもよい。例えば、横梁部材１６に掛けるようにして使用者の足元に棚を形成するようにしてもよい。
【符号の説明】
【００４２】
１・・・デスク
１１・・・天板，１１１・・・引き出し
１２・・・エンド脚，１２１・・・接続部材挿入孔，１２２・・・ボルト穴，１２３・・・アジャスタ，１２４・・・アジャスタ取付穴，１２５・・・支柱取付穴，１２６・・・部材取付穴，１２７・・・横梁取付穴，１２８・・・幕板取付穴
１３・・・中間脚，１３１・・・天板接続穴，１３２・・・ボルト穴，１３３・・・アジャスタ，１３４・・・アジャスタ取付穴，１３５・・・支柱取付穴，１３６・・・部材取付穴，１３７・・・横梁取付穴，１３８・・・幕板取付穴
１４・・・補助中間脚，１４１・・・接続舌片，１４２・・・ボルト穴，１４３・・・アジャスタ，１４４・・・アジャスタ取付穴
１５・・・幕板，１５１・・・脚取付穴，１５２・・・中間受取付穴，１５３・・・第１凹部，１５４・・・第２凹部
１６・・・横梁部材，１６１・・・第１中間受取付穴，１６２・・・第２中間受取付穴，１６３・・・脚取付穴，１６４・・・第１背面凹部，１６５・・・第２背面凹部，１６６・・・正面凹部
１７・・・第１中間受部材，１７１・・・接続部，１７２・・・天板接続穴，１７３・・・支柱接続穴，１７４・・・カバー接続穴，１７５・・・嵌着凹部，１７５１・・・凸部，１７５２・・・壁部，１７５３・・・壁部，１７６・・・補助脚接続穴，１７７・・・補強部材保持溝，１７８・・・底面片
１８・・・第２中間受部材，１８１・・・接続穴，１８２・・・接続部，１８３・・・天板接続穴，１８４・・・カバー接続穴，１８５・・・嵌着凹部，１８５１・・・凸部，１８５２・・・壁部，１８５３・・・壁部
１９・・・カバー接続部材，１９１・・・接続部，１９２・・・接続部，１９３・・・接続部，１９３１・・・固定爪，１９４・・・接続部，１９４１・・・固定爪，１９５・・・切込み，１９６・・・ボルト穴，１９７・・・軸受部
２０・・・配線カバー，２０１・・・軸部，
２１・・・片面用脚取付部材，２１１・・・カバー接続穴，２１２・・・脚接続穴
２２・・・両面用脚取付部材，２２１・・・カバー接続穴，２２２・・・脚接続穴
２３・・・支柱取付部カバー，２３１・・・ベース部材，２３１１・・・ボルト穴，２３２・・・上面部材，２３３・・・上面部材，２３４・・・上面部材，２３５・・・側面部材
２４・・・補強部材，２４１・・・天板接続穴，２４２・・・支柱接続穴
２５・・・補助脚接続部材，２５１・・・ボルト穴，２５２・・・側面，２５３・・・ボルト穴，２５４・・・壁面
２６・・・天板接続部材
２７・・・トレイ部材
２８・・・支柱，２９・・・棚，３０・・・机上横梁部材，３１・・・モニタ，３２・・・背面パネル，３３・・・側面パネル
【図１】
0006591154.tif 000002
【図２】
0006591154.tif 000003
【図３Ａ】
0006591154.tif 000004
【図３Ｂ】
0006591154.tif 000005
【図４Ａ】
0006591154.tif 000006
【図４Ｂ】
0006591154.tif 000007
【図４Ｃ】
0006591154.tif 000008
【図４Ｄ】
0006591154.tif 000009
【図５Ａ】
0006591154.tif 000010
【図５Ｂ】
0006591154.tif 000011
【図５Ｃ】
0006591154.tif 000012
【図６Ａ】
0006591154.tif 000013
【図６Ｂ】
0006591154.tif 000014
【図７Ａ】
0006591154.tif 000015
【図７Ｂ】
0006591154.tif 000016
【図８Ａ】
0006591154.tif 000017
【図８Ｂ】
0006591154.tif 000018
【図９Ａ】
0006591154.tif 000019
【図９Ｂ】
0006591154.tif 000020
【図１０Ａ】
0006591154.tif 000021
【図１０Ｂ】
0006591154.tif 000022
【図１０Ｃ】
0006591154.tif 000023
【図１１】
0006591154.tif 000024
【図１２】
0006591154.tif 000025
【図１３】
0006591154.tif 000026
【図１４】
0006591154.tif 000027
【図１５】
0006591154.tif 000028
【図１６】
0006591154.tif 000029
【図１７】
0006591154.tif 000030